(57)【要約】【課題】  ワイヤの張力をほぼ一定に揃えることができると共に作業が簡単な壁面緑化構造、ワイヤに張力を付与する作業が簡単で全体としての施工時間が短い壁面緑化工法及び壁面の層間移動に対応できるワイヤ張設構造及びこれを達成するためのワイヤ張設装置の提供。【解決手段】  ワイヤ６ａ、６ｂ、ワイヤの一端を取り付ける第１金物１０、ワイヤの他端を取り付ける第２金物１１及び一端側と他端側の支持部材８，９とからなり、第１金物１０はワイヤの一端を係合させる張力クッションばね１９とこれを受けるワッシャー２１を備える。ワッシャー２１は下面に位置決め用の突部２２を設けると共にワイヤを導出する貫通孔を有し、一端側支持部材８に前記ワッシャーの突部を嵌合する為の貫通孔を形成してある。【選択図】                図２
2006000036.tif 000002
【特許請求の範囲】
【請求項１】
ワイヤ、ワイヤの一端を取り付ける第１金物、ワイヤの他端を取り付ける第２金物及び壁面に取り付けた一端側と他端側の支持部材とからなり、第１金物はワイヤの一端を係合させる張力クッションばねと張力クッションばねを受けるワッシャーを備え、ワッシャーは下面に位置決め用の突部を設けると共にワイヤを導出する貫通孔を有し、一端側支持部材に前記ワッシャーの突部を嵌合する為の貫通孔を形成してあり、支持部材間に第１金物と第２金物を用いてワイヤを張設することを特徴としたワイヤ張設装置。
【請求項２】
第１金物の張力クッションばね及びワイヤの一端が張力クッションばねに係合する部分を筒体に納め、筒体の他端側底部を前記のワッシャーで閉じて一体としてあることを特徴とした請求項１に記載のワイヤ張設装置。
【請求項３】
ワイヤ、ワイヤの一端を取り付ける第１金物、ワイヤの他端を取り付ける第２金物及び壁面に取り付けた支持部材とからなり、第１金物はワイヤの一端を係合させる張力クッションばねを備え、張力クッションばね及びワイヤの一端が張力クッションばねに係合する部分を筒体に納め、筒体の他端側底部はワイヤを導出させて閉じてあり、筒体の一端側天井部に支持部材への引掛け部材を固定してあり、支持部材間に第１金物と第２金物を用いてワイヤを張設することを特徴としたワイヤ張設装置。
【請求項４】
筒体に張力クッションばねが設定した圧縮量の範囲となったことを示す表示構造を設けてあることを特徴とした請求項２又は３に記載のワイヤ張設装置。
【請求項５】
第２金物が支持部材への引掛け部材を備えていることを特徴とした請求項１〜４のいずれか一つに記載のワイヤ張設装置。
【請求項６】
第２金物は、ワイヤ引き締め機能を備えていることを特徴とした請求項１〜５の何れか一つに記載のワイヤ張設装置。
【請求項７】
ワイヤ引き締め機構が一端側への戻りを阻止する一方向チャックであることを特徴とした請求項６に記載のワイヤ張設装置。
【請求項８】
壁面の緑化対象領域に２個以上の一端側及び他端側支持部材を固定し、一端側支持部材と他端側支持部材との間にワイヤを張設してあり、ワイヤ両端の一方に張力クッションばねを介在させてあることを特徴とする壁面緑化構造。
【請求項９】
ワイヤが、ワイヤ本体の周面に耐候性の線材を長手方向へスパイラルに巻きつけ固定したものであることを特徴とした請求項８に記載の壁面緑化構造。
【請求項１０】
壁面の緑化対象領域に２個以上の一端側及び他端側支持部材を固定し、一端側支持部材と他端側支持部材との間に第１の金物及び第２の金物を用いてワイヤを張設する工法であって、第１の金物としてワイヤの一端を係合させる張力クッションばねを備えたものを用い、第２の金物としてワイヤの戻りを阻止する一方向チャックを備えたものを用い、ワイヤの一端を第１金物に取り付けて一端側支持部材に支持させ、ついで、ワイヤの他端を他端側支持部材に支持させた第２の金物に差し込んで一方向チャックに係合させた後、ワイヤを一端側から他端側に手繰り寄せ一方向チャックで固定し、設定した張力を維持させることを特徴とした壁面緑化工法。
【発明の詳細な説明】
【技術分野】
【０００１】
この発明は、工場やビルの壁あるいは塀などの主として建築物、構築物の壁面を植物で覆う壁面緑化の技術に関する。
【背景技術】
【０００２】
都市の温暖化現象の抑止や炭酸ガス濃度の上昇抑止など、都市の生活環境改善の一環として屋上緑化に加えて壁面緑化が提案されている。壁面緑化のために、従来からツタ植物を壁面へ直接に這わせたり、壁面に張り付けた網に植物を絡ませたりしている。また、壁面の緑化構造としては植生ブロックを積み重ねたり貼り付けたりする方法（特許文献１，２）が圧倒的に多い。
【０００３】
【特許文献１】特開２００３−３１９７１９号公報
【特許文献２】特開２００４−２７７７４号公報
【発明の開示】
【発明が解決しようとする課題】
【０００４】
従来のツタ植物を直接壁面に這わせる方法は、ツタが思う方向に成長しなかったり、ツタが壁面に密着して成長するために壁を汚し、湿度のために壁を劣化させてしまうことがある。壁面に網を張設しこれにツル植物を絡ませる方法も行われているが、網を均一に固定する方法が難しく、風で煽られてばたついたり、破損しやすい。これに代わり、壁面に支持材を固定して支持材間にワイヤを張設してそのワイヤにツル植物を絡ませる方法が提案されている。ワイヤを用いる方法では、緑化対象の壁面に応じて張設方向や範囲を任意に調整しやすいこと、ワイヤに強い張力を与えることにより風によるばたつきを防止することができること、網よりも格段に耐久性が高く、植物が成長するまでの露出した張設状態の見栄えがよいこと、撤去が簡単、などの利点がある。
【０００５】
しかし、ワイヤの場合、複数本のワイヤの張力をほぼ均一に取り付けるのに時間を要したり、一本ずつのワイヤの張力を過度に大きくすると壁に作用する全体としての力が大きくなって、ＡＬＣ壁の場合など壁面材料の強度が不足するときは壁が破壊されたり、強固なＲＣ壁などでは支持部材が変形したりすることがある。さらに、工場などのＡＬＣパネルによる壁面は、地震などの揺れで破壊されないように、鉄骨構造の躯体に各ＡＬＣパネルを並列的に、パネル相互間が面内方向である程度回動できるように、かつ、下層階と上層階との間である程度平行移動できるように取り付けられている。この場合の変位量はわずかであるが、複数のパネル間にまたがってワイヤが張設されていたり、上下の層間にまたがってワイヤが張設されていたりすると、ワイヤの張力が強いとき、壁面を破壊してしまう恐れがある。実際にはワイヤの伸びなどである程度変位量が吸収される可能性が高いが、従来のワイヤ方式では積極的にこの対策がとられていない。
【０００６】
また、ワイヤはステンレスなどの不錆性の素材が耐久性の観点から好適であるが、このような素材の表面は平滑であるために、植物の定着に不向きな面があって台風のような予想以上の強風時に絡んでいた植物が壁面の下方へ脱落してしまう恐れがある。
この発明は、ワイヤを用いた壁面緑化に関して、ワイヤの張力をほぼ一定に整えることができ、全体としても設定以上の張力が壁に作用しない施工方法と構造、ワイヤに張力を付与する作業が簡単で全体としての施工時間が短い施工方法と構造、壁面の層間変形に対応できるワイヤ張設構造及びこれを達成するためのワイヤ張設装置の提供を課題とする。
【課題を解決するための手段】
【０００７】
〔ワイヤ張設装置〕
ワイヤ、ワイヤの一端を取り付ける第１金物、ワイヤの他端を取り付ける第２金物及び壁面に取り付ける一端側と他端側の支持部材とで構成する。第１金物にワイヤの一端を係合させる張力クッションばねと張力クッションばねを受けるワッシャーを有し、ワッシャーは下面に位置決め用の突部を備えたものとする。ワイヤには他端側へワイヤを導出するための貫通孔を形成してある。一端側支持部材には前記ワッシャーの突部が嵌合する貫通孔を形成する。
【０００８】
張力クッションばねにより、クッションが有効な範囲で張力を決定することにより、複数のワイヤ間での張力の大きな不揃いを防止することができる。第１の支持部材へワイヤの位置を定めるとき、ワッシャーの突部を支持部材の貫通孔へ嵌め込むことにより支持部材に対するワッシャーの位置を簡単にかつ明確に定めることができる。
【０００９】
第１金物の張力クッションばね及びワイヤの一端が張力クッションばねに係合する部分を筒体に納め、筒体の他端側底部を前記のワッシャーで閉じて一体とすることがある。張力クッションばねやワイヤの一端部が筒体に隠されてワイヤ張設施工が終了したとき、張設状態の外観が良好になる。
支持部材に対するワイヤ一端の取り付けは、前記筒体を備える場合に、支持部材へ直接に取り付ける場合と筒体の一端側天井部に設けたフックのような引掛け部材で取り付けることがある。この場合、支持部材はフックの係合に便利なようにアイボルトに類似の形態とすることが好ましい。
【００１０】
筒体に窓を設け、張力クッションばねの圧縮量を目視できるようにする（例えば、適正な圧縮量となったとき赤色マークが現れる）などして、ワイヤの張力が設定した値となったことを示す表示構造を設けることがある。
ワイヤの他端を取り付ける第２金物にも支持部材への引掛け部材を備えることがある。ワイヤ他端側の取り付けを簡単に行える。このような、引掛け部材によるワイヤ両端の取り付けは、脱落やいたずらの恐れがない個所では、ワイヤの取り付けが手軽なため便利である。
【００１１】
第２金物はワイヤ引き締め機能を備えていることが好ましい。ワイヤを仮に張設し、ついで、引き締め機能を利用してワイヤの張力を調整することにより、ワイヤを設定した張力とし易い。
ワイヤ引き締め機構を一端側への戻りを阻止する一方向チャックとすることはさらに好ましい。ワイヤを仮に張設し、ついで、ワイヤを第２金物の側へ手繰り寄せるだけで、特に手繰るごとに手繰り寄せた量を順次固定していく作業をしなくてもワイヤの張力を保持できる。このため、張設作業に要する時間を短縮することができる。
【００１２】
〔緑化構造〕
壁面の緑化対象領域に２個以上の一端側及び他端側支持部材を固定し、一端側支持部材と他端側支持部材との間にワイヤを張力クッションばねを介在させて取り付けた構造とする。支持部材への取り付けには前記の第１、第２の金物を利用するのが好適である。
張力クッションばねは、ワイヤ１本ごとの張力をほぼ一定に保持し、張力が過大、過小となるのを防止する。複数のパネル間あるいは複数の層間にまたがってワイヤが張設されているとき、壁面パネルの回動や層間移動が生じてもクッション性能によりその変位を吸収して壁面の破壊や支持部材の変形を防止する。また、変位が元に戻った時の復旧性にも優れる。
ワイヤとしてワイヤ本体の周面に耐候性の線材を長手方向へスパイラルに巻きつけ固定したものを用いることがある。植物が上方へ伸びあがる手がかりとなり、また、植物自体がワイヤヘ確実に絡むため、強風時にもワイヤから脱落し難くなる。耐候性の線材は樹脂コーティングしたワイヤや針金、あるいは樹脂の線材や紐状のものである。これらの相互固定は接着材の使用や一体化コーティングによる。
【００１３】
〔緑化工法〕
前記の構造を構築するに際して、第１の金物としてワイヤの一端を係合させる張力クッションばねを備えたものを用い、第２の金物としてワイヤの戻りを阻止する一方向チャックを備えたものを用いる。そして、ワイヤの一端を第１金物に取り付けて一端側支持部材に支持させ、ついで、ワイヤの他端を他端側支持部材に支持させた第２の金物に差し込んで一方向チャックに係合させる。ついで、ワイヤを一端側から他端側に手繰り寄せ一方向チャックで固定する。手繰り寄せは設定した張力となるまで行う。具体的には、第１金物の表示装置を利用する。
【発明の効果】
【００１４】
支持部材に対するワイヤの位置決めをしやすく、ワイヤに対する張力の付与固定も簡単なので、壁面緑化工事の施工時間が短縮される。
ワイヤの張力にクッション性があって、ワイヤを設定の張力で張設し易い。
パネルの回動、層間移動が予想される壁面に張設しても前記のクッション性により、回動や移動を吸収し、壁面を破壊したり、支持部材が変形してしまうことがない。
張設完了時の見栄えが良い。
【発明を実施するための最良の形態】
【００１５】
張力クッションばねにワイヤの一端を係合させてこれを第１金物の筒体内部に納め、筒体の他端側底部のワッシャー部からワイヤを導出させる。ワッシャー部は下面に突部を備えて、この部分を壁面に固定した一端側支持部材の貫通孔に係合させて位置決めする。ワイヤの他端を手繰り、これの他端を他端側支持部材に取り付けた一方向チャックに噛ませ仮に固定する。ついで、第１金物の張力クッションばねを圧縮するようにワイヤを手繰り寄せて、第１金物の表示装置が設定値となるまで張力を付与し、その状態を前記の一方向チャックに保持させる。
支持部材と第１金物、ワイヤおよび第２金物がワイヤ張設装置を構成する。
【実施例１】
【００１６】
図１は、工場１の壁面２であり、鉄骨躯体３（図２）に、図１では破線で示すＡＬＣパネル（軽量気泡コンクリートパネル）４を水平方向に複数並列させたものを３層に取り付けてある。符号５は壁面緑化構造であり、ワイヤ６を張設している。ワイヤ６は並列された複数のパネル間にまたがって複数の横ワイヤ６ａが張設され、又、複数の層間にまたがって縦ワイヤ６ｂが張設されている。符号７はツル性の緑化植物である。なお、ワイヤ６が長くなる場合は、中間で連結したものを使用することがある。
【００１７】
図２はＡＬＣパネルとワイヤ張設状態の基本的な構造を模式的に示したものであり、図４にその具体例を示している。鉄骨躯体３にＡＬＣパネル４（以下、パネル４）が取り付けられている。各パネル４は、地震時の揺れに対応できるように周知の構造により各パネルの回動及び層間での移動が可能に取り付けられている（図３参照）。パネル４の外面には、一端側（上方）の支持部材８、他端側（下方）の支持部材９を利用して、一端側の第１金物１０、他端側の第２金物１１を用い、ワイヤ６ｂが取り付けられている。符号１２は中間支持部材である。
【００１８】
各支持部材８，９，１２は、それぞれＡＬＣパネル４を貫通して固定される固定部材１３とアングル部材１４とからなり、アングル部材１４は垂直部分をボルト１５で固定部材１３に取り付け、水平部分にはワイヤ６ｂを張設するときの所定間隔に貫通孔１６が形成されている。この実施例において、固定部材１３は壁面からの間隔を維持するためのスペーサーを兼ねると共に、アングル部材１４を長手方向に連結する継ぎ手をも兼ねるものもある。固定部材１３はその長さを調整できるようにしておくと便利である。
【００１９】
第１金物１０は図２，図５に示すように、一端側天井部１７が閉じられた形態をした筒体１８の内部に巻きばねの形態をした張力クッションばね１９が納められ、これにワイヤ６ｂ（ワッシャー部）の一端側が張力クッションばね１９の上面側で係合されている。筒体１８の他端側底部２０はワッシャー２１で閉じられている。ワッシャー２１は筒体１８と一体に固定されている。ワッシャー２１は下面側に円形の突部２２を備え、その中心部にワイヤ６ｂが貫通している。突部２２の径はアングル部材の水平部に設けた貫通孔１６とほぼ一致させてある。
【００２０】
ワイヤ６ｂは、図５に示すように、ステンレスの鋼線を撚り合わせたワイヤ主体２３にナイロンなど耐候性の高い樹脂をコーティングしたものに、細い金属製芯材（ワイヤ、針金）へ同様に耐候性があり柔軟な樹脂のコーティングを施した線材２４を螺旋状に巻きつけ、これらを接着や熱融着あるいはさらなるコーティングで一体化してある。螺旋状に巻きつけるのは植物が巻きつき易く、また、脱落しにくいようにするためであって、線材２４の太さや螺旋のピッチは正確には植物の種類によるし、ピッチも均一にする必要はない。
【００２１】
第２金物１１は図２，図５に示すように、筒体２５の内部にチャック爪２６とこれを常時上方へ押し上げているばね２７を備えたチャック構造であり、筒体２５の一端側天井部に解除部材２８が上下移動可能に取り付けられると共に他端側下面からボルト部２９が突出している。解除部材２８とボルト部２９にはそれぞれ貫通孔が形成され、ワイヤ６ｂの他端が第２金物１１を貫通する。すなわち、第２金物１１は一方向チャックであって、上方から差し込まれたワイヤ６ｂは下方へ移動させることはできても、解除部材２８を下方へ押込まない限りそのままでは上方へ引き抜くことはできない。第２金物１１はアングル部材１４の水平部へボルト部２９を貫通させ下方からナット３０を螺合して固定する。
【００２２】
以上の構成であり、パネル４に上下の支持部材８，９を固定し、ついで、ワイヤ６ｂの一端に取り付けた第１金物１０を上方としてワイヤ６ｂの他端をアングル部材１４の水平部に設けた貫通孔１６から下方へ垂らし、上方の第１金物１０の他端側底部２０の円形突部２２を貫通孔１６に嵌め込む。これにより簡単にワイヤ６ｂの一端側の位置が定まる。上方の第１金物１０はアングル部材１４に対して特に固定する必要はない。ワイヤ６ｂの他端側を下方のアングル部材１４に取り付けられている第２金物１１（一方向チャック）に差込んで下方へ手繰り寄せると、ワイヤ６ｂは手繰り寄せた分だけ第２金物１１に順次、保持されていく。手繰り寄せを続け、ワイヤ６ｂに弾力を感じるようになったら、張力クッションばね１９が中程度に圧縮されたところで停止する。
【００２３】
この作業を縦横複数本のワイヤ６ａ、６ｂについて繰り返す。但しそれぞれの作業は、第２の金物１１にワイヤ６ａ，あるいは６ｂの他端側を差込み、ついで、ワイヤを手繰り寄せるだけのことであるから、簡単である。横ワイヤ６ａについても作業は同様である。この作業の時、ワイヤ６ａあるいは６ｂの張力を見定めるのに、図６のように、ワイヤ６ｂに張力を付加していないとき第１金物１０の筒体１８の内部に位置する部分３５に塗布やテープで指示マーク３６を付けておくと便利である。
すなわち、ワイヤ６ｂを手繰り寄せ、張力クッションばね１９が中程度に圧縮されると筒体１８の他端側底部から指示マーク３６が現れるような表示構造３７を構成してある。
【００２４】
この結果、ワイヤ６ａ、６ｂの張力に過大，過小が生じず、壁面に設定以上の過大な力が作用したり、逆に張力が弱いためにワイヤが弛んで見苦しくなるということがない。また、壁面にパネルの回動や層間移動が生じても、各ワイヤ６ａ、６ｂの一端側に配置した張力クッションばね１９によって吸収され、各パネルに壁面緑化構造が原因となるひずみを与えることがない。
なお、縦横のワイヤ６ａ、６ｂの交叉部を結合部材３８（図４）で結合して、風によるブレや唸りを防止しても良い。
【実施例２】
【００２５】
図７は第２の実施例を示し、第１の実施例とは、上下の支持部材３１、３２と第１金物３３、第２金物３４の構造が異なる。この実施例において支持部材８の固定部材１３は，アイボルト形でスペーサーを兼ねている。また、上方の第１金物３３は、ワイヤ６ｂの一端側と張力クッションばね１９を納めた筒体１８の一端側天井部１７にフック３９を備えて固定部材１３に引掛けるようになっている。下方の第２金物３４は一方向チャックを構造を備えた同様なものであるが、他端側底部２０に挟み込み形のフック４０を備えている。
このような構造であると、ワイヤ６ｂの一端部と他端部の取り付けが係合によるものであるから、すばやく作業することができる。
【実施例３】
【００２６】
図８は第３の実施例を示し、第１の実施例とは上方の第１金物１０の構造が異なる。この実施例３ではワイヤ６ｂの一端と張力クッションばね１９を納めた筒体１８が一端側天井部１７をフランジ付きねじ蓋４１としてあり、取り外せる構造となっている。また、この第１金物１０は、アングル部材１４の水平部に設けた貫通孔１６へ筒体１８そのものがはまり込み前記のねじ蓋４１でアングル部材１４と係合する。
【００２７】
以上実施例について説明したが、第１金物１０はワッシャー２１と張力クッションばね１９を備えればよいので、筒体１８を備えずワッシャー２１だけのこともある。
ＡＬＣパネル構造の壁に限らず、木壁やＲＣ壁あるいは鉄骨へ直接に支持部材８，９を取り付ける構造とすることもある。従って、工場に限らずビルや塀、法面その他の壁面に本発明を施工することができる。ＲＣ壁の場合はＲＣ用アンカーを壁に打ち込んで固定しこれに固定部材を取り付ける。鉄骨へ固定するときは前記のアングル材１４などを直接に溶接により固定し、これに第１、第２の金物１０，１１を取り付ける。
ワイヤ６ａ、６ｂを縦横に張設する場合を説明したが、ワイヤ６ａ，６ｂの張設方式は縦横に限らず、斜めの直交形，その他であってもよい。
引寄せ機能を備えた第２金物１１として一方向チャック機構のものを例示したが、引寄せ機能を備えた第２金物１１としては、ターンバックル、スエージボルト・ナットのような機構であってもよい。一方向チャック機構を備えた第２金物は引寄せ機能を備えた第２金物１１の一つである。
【図面の簡単な説明】
【００２８】
【図１】壁面緑化構造を施した壁面の概略斜視図
【図２】壁面緑化構造の基本構成を示す側面図と一部断面による部分拡大図
【図３】イ、ロは共にパネルの移動を示す概略の正面図
【図４】ワイヤの張設状態を示す斜視図
【図５】第１金物とワイヤ及び第２金物を示した斜視図（一部省略）
【図６】表示構造を示した斜視図
【図７】壁面緑化構造の基本構成を示す側面図と一部断面による部分拡大図（実施例２）
【図８】第１金物の一部断面による部分拡大図（実施例３）
【符号の説明】
【００２９】
１  工場
２  壁面
３  鉄骨躯体
４  ＡＬＣパネル
５  壁面緑化構造
６  ワイヤ
６ａ  横ワイヤ
６ｂ  縦ワイヤ
７  緑化植物
８  支持部材（上）
９  支持部材（下）
１０  第１金物
１１  第２金物
１２  中間支持部材
１３  固定部材
１４  アングル部材
１５  ボルト
１６  貫通孔
１７  一端側天井部
１８  筒体
１９  張力クッションばね
２０  他端側底部
２１  ワッシャー
２２  突部
２３  ワイヤ主体
２４  線材
２５  筒体
２６  チャック爪
２７  ばね
２８  解除部材
２９  ボルト部
３０  ナット
３１  支持部材（上，実施例２）
３２  支持部材（下）
３３  第１金物（実施例２）
３４  第２金物
３５  ワイヤの一部
３６  指示マーク
３７  表示構造
３８  結合部材
３９  フック（上）
４０  フック（下）
４１  フランジ付きねじ蓋
【図１】
2006000036.tif 000003
【図２】
2006000036.tif 000004
【図３】
2006000036.tif 000005
【図４】
2006000036.tif 000006
【図５】
2006000036.tif 000007
【図６】
2006000036.tif 000008
【図７】
2006000036.tif 000009
【図８】
2006000036.tif 000010